(57)【要約】【課題】  所有者の名前、住所、電話番号等の情報を通常の場合に知られるのを防ぐことができると同時に、所有者の名前、住所、電話番号等の情報を表示した表示体が、不測に落下して紛失するのを防止できるネームタグを提供する。【解決手段】  テープ体に遊嵌状に外嵌される外筒体１７と、テープ体に摺動自在に外嵌されると共に、外筒体１７に内嵌するようにテープ体と外筒体１７との間に出し入れ可能に挿入される内筒体１８とを備え、外筒体１７と内筒体１８との間に、ペット名やその所有者の氏名や住所等の情報が表示される表示部４３が設けられ、外筒体１７と内筒体１８との間に、内筒体１８を外筒体１７に対して内嵌した状態にロックするロック機構１９が設けられている。【選択図】図１
2014007961.tif 000002
【特許請求の範囲】
【請求項１】
テープ体に遊嵌状に外嵌される外筒体（１７）と、テープ体に摺動自在に外嵌されると共に、外筒体（１７）に内嵌するようにテープ体と外筒体（１７）との間に出し入れ可能に挿入される内筒体（１８）とを備え、外筒体（１７）と内筒体（１８）との間に、ペット名やその所有者の氏名や住所等の情報が表示される表示部（４３）が設けられ、外筒体（１７）と内筒体（１８）との間に、内筒体（１８）を外筒体（１７）に対して内嵌した状態にロックするロック機構（１９）が設けられていることを特徴とするネームタグ。
【請求項２】
内筒体（１８）の外面又は外筒体（１７）の内面に収納凹部（３３）が設けられ、収納凹部（３３）に、前記表示部（４３）を有するネームシート（３４）が収納保持されていることを特徴とする請求項１に記載のネームタグ。
【請求項３】
前記テープ体はペット用首輪又はペット用胴輪の一部を構成するものとされ、外筒体（１７）の少なくとも収納凹部（３３）に対応する部分は透明又は半透明とされ、前記ネームシート（３４）は複数折りにされて収納凹部（３３）に収納保持され、複数折りにされたネームシート（３４）の表面側に、外部から外筒体（１７）を通して視認できるようにペット名が記載され、ネームシート（３４）の裏面に、外部から視認不能となるようにペットの所有者の住所、氏名、電話番号等の詳細情報が記載されるようにしたことを特徴とする請求項２に記載のネームタグ。
【請求項４】
内筒体（１８）の外面の一部が前記表示部（４３）とされ、ここに前記情報が刻印、印刷又は筆記により記載されるようにしたことを特徴とする請求項１に記載のネームタグ。
【請求項５】
外筒体（１７）の少なくとも表示部（４３）に対応する部分は透明又は半透明とされて、表示部（４３）に表示された情報が外部から外筒体（１７）を通して視認できるようにしたことを特徴とする請求項１又は４に記載のネームタグ。
【請求項６】
前記ロック機構（１９）は、外筒体（１７）に内外貫通状に設けた係止孔（２５）と、内筒体（１８）に設けた弾性支持片（３９）と備え、弾性支持片（３９）に、内筒体（１８）を外筒体（１７）に対して内嵌した状態にロックするべく前記係止孔（２５）に係合する係合凸部（４１）が設けられ、係合凸部（４１）の係止孔（２５）への係合を外すことが可能になるように、弾性支持片（３９）は弾性変形により内方に屈曲可能とされていることを特徴とする請求項１〜５のいずれかに記載のネームタグ。
【請求項７】
内筒体（１８）にコの字状のスリット（４０）を設けることにより、内筒体（１８）の前記スリット（４０）で区画された内側に、前記弾性支持片（３９）が形成されていることを特徴とする請求項６に記載のネームタグ。
【請求項８】
前記外筒体（１７）及び内筒体（１８）は、テープスティ機能を有するように２重になった２つのテープ体（３，４）に外嵌可能に構成されていることを特徴とする請求項１〜７のいずれかに記載のネームタグ。
【発明の詳細な説明】
【技術分野】
【０００１】
本発明は、ペット用首輪、ペット用胴輪又はカバンの肩紐等のテープ体に装着されるネームタグに関するものである。
【背景技術】
【０００２】
例えばペット用首輪、ペット用胴輪では、ペットの所有者（飼い主）の名前、住所、電話番号を表示したネームタグを取り付け、犬等のペットが迷子になったような場合、ペットを拾った者がペットの所有者に連絡できるようにしている。
この種の従来のネームタグには、ペット用首輪やペット用胴輪等のテープ体に外嵌される角筒状の嵌合体を設け、この嵌合体の表面にペット名やペットの所有者の名前、住所、電話番号等の情報を刻設等により表示するようにしたものがある（例えば引用文献１）。
【０００３】
また、他の従来のネームタグには、ペット用首輪やペット用胴輪等のテープ体に外嵌状に巻き付けて固定される装着部を備え、この装着部に、犬等のペットの所有者の名前、住所、電話番号等の情報を表示した表示体を収納可能な収納部を設けたものがある（例えば引用文献２）。
【先行技術文献】
【特許文献】
【０００４】
【特許文献１】特開平８−１３１００８号公報
【特許文献２】実用新案登録第３１５３９８０号公報
【発明の概要】
【発明が解決しようとする課題】
【０００５】
しかし、前者の従来の場合、嵌合体の表面にペット名やペットの所有者の名前、住所、電話番号等の情報を刻設等により表示するようにしているため、ペットを散歩させたりする通常の場合でも、他人にペットの所有者の名前、住所、電話番号等の情報をた易く知られてしまい、防犯上の問題が生じた。
また、後者の従来の場合、犬等のペットは激しく動き回るため、収納部に収納したペットの所有者の名前、住所、電話番号等の情報を表示した表示体が、不測に落下して紛失してしまうおそれがあった。
【０００６】
本発明は上記問題点に鑑み、所有者の名前、住所、電話番号等の情報を通常の場合に知られるのを防ぐことができると同時に、所有者の名前、住所、電話番号等の情報を表示した表示体が、不測に落下して紛失するのを防止できるネームタグを提供することを目的としている。
【課題を解決するための手段】
【０００７】
本発明における課題解決のための具体的手段は、次の通りである。
この技術的課題を解決する本発明の技術的手段は、テープ体に遊嵌状に外嵌される外筒体１７と、テープ体に摺動自在に外嵌されると共に、外筒体１７に内嵌するようにテープ体と外筒体１７との間に出し入れ可能に挿入される内筒体１８とを備え、外筒体１７と内筒体１８との間に、ペット名やその所有者の氏名や住所等の情報が表示される表示部４３が設けられ、外筒体１７と内筒体１８との間に、内筒体１８を外筒体１７に対して内嵌した状態にロックするロック機構１９が設けられている点にある。
【０００８】
また、本発明の他の技術的手段は、内筒体１８の外面又は外筒体１７の内面に収納凹部３３が設けられ、収納凹部３３に、前記表示部４３を有するネームシート３４が収納保持されている点にある。
また、本発明の他の技術的手段は、前記テープ体はペット用首輪又はペット用胴輪の一部を構成するものとされ、外筒体１７の少なくとも収納凹部３３に対応する部分は透明又は半透明とされ、前記ネームシート３４は複数折りにされて収納凹部３３に収納保持され、複数折りにされたネームシート３４の表面側に、外部から外筒体１７を通して視認できるようにペット名が記載され、ネームシート３４の裏面に、外部から視認不能となるようにペットの所有者の住所、氏名、電話番号等の詳細情報が記載されるようにした点にある。
【０００９】
また、本発明の他の技術的手段は、内筒体１８の外面の一部が前記表示部４３とされ、ここに前記情報が刻印、印刷又は筆記により記載されるようにした点にある。
また、本発明の他の技術的手段は、外筒体１７の少なくとも表示部４３に対応する部分は透明又は半透明とされて、表示部４３に表示された情報が外部から外筒体１７を通して視認できるようにした点にある。
【００１０】
また、本発明の他の技術的手段は、前記ロック機構１９は、外筒体１７に内外貫通状に設けた係止孔２５と、内筒体１８に設けた弾性支持片３９と備え、弾性支持片３９に、内筒体１８を外筒体１７に対して内嵌した状態にロックするべく前記係止孔２５に係合する係合凸部４１が設けられ、係合凸部４１の係止孔２５への係合を外すことが可能になるように、弾性支持片３９は弾性変形により内方に屈曲可能とされている点にある。
【００１１】
また、本発明の他の技術的手段は、内筒体１８にコの字状のスリット４０を設けることにより、内筒体１８の前記スリット４０で区画された内側に、前記弾性支持片３９が形成されている点にある。
また、本発明の他の技術的手段は、前記外筒体１７及び内筒体１８は、テープスティ機能を有するように２重になった２つのテープ体３，４に外嵌可能に構成されている点にある。
【発明の効果】
【００１２】
本発明によれば、外筒体と内筒体との間に、ペット名やその所有者の氏名や住所等の情報が表示される表示部が設けられているため、所有者の名前、住所、電話番号等の情報を通常の場合に知られるのを防ぐことができる。しかも、外筒体がテープ体に外嵌され、内筒体がテープ体に摺動自在に外嵌されているため、外筒体及び内筒体がテープ体から不測に外れるおそれがなくなるし、内筒体を外筒体に対して内嵌した状態にロックするロック機構が設けられているので、ロック機構によって内筒体が外筒体に対して内嵌した状態に保持することができ、所有者の名前、住所、電話番号等の情報を表示した表示体が、不測に落下して紛失するのを防止することができる。
【図面の簡単な説明】
【００１３】
【図１】本発明の第１実施形態を示すネームタグの分解斜視図である。
【図２】同内筒体を外筒体に内嵌した状態のネームタグの斜視図である。
【図３】同内筒体を外筒体に内嵌した状態を示し、（ａ）はその平面図、（ｂ）はその正面図、（ｃ）はその底面図、（ｄ）はその右側面図である。
【図４】同図３のＡ−Ａ線断面図である。
【図５】同図３のＢ−Ｂ線断面図である。
【図６】同外筒体を示し、（ａ）はその平面図、（ｂ）はその正面図、（ｃ）はその底面図、（ｄ）はその右側面図である。
【図７】同内筒体を示し、（ａ）はその平面図、（ｂ）はその正面図、（ｃ）はその底面図、（ｄ）はその右側面図である。
【図８】同ネームシートの表面及び裏面を示す図である。
【図９】同ネームシートを４つ折りにする工程を示す斜視図である。
【図１０】同ネームタグが装着されたペット用首輪の斜視図である。
【図１１】第２実施形態を示すネームタグを示し、（ａ）はその斜視図、（ｂ）はその分解斜視図である。
【図１２】第３実施形態を示すネームタグを示し、（ａ）はその斜視図、（ｂ）はその分解斜視図である。
【図１３】第４実施形態を示すネームタグを示し、（ａ）はその斜視図、（ｂ）はその分解斜視図である。
【図１４】第５実施形態を示すネームタグを示し、（ａ）はその斜視図、（ｂ）はその分解斜視図である。
【図１５】第６実施形態を示すネームタグを示し、（ａ）はその斜視図、（ｂ）はその分解斜視図である。
【発明を実施するための形態】
【００１４】
以下、本発明の実施の形態を図面に基づいて説明する。
図１〜図１０は本発明の第１実施形態を示している。図１０において、犬等のペット用首輪１は、２重になった２つのテープ体３，４を有する２重テープ部５と、１つのテープ体６を有する１重テープ部７とを長さ調整具９を介して備え、２重テープ部５と１重テープ部７との端部同士が、受け部材１０と係合部材１１とを備える連結バックル１２で着脱可能に連結されている。１重テープ部７の端部にペットの引き紐のフックを係止するための係止リング１３が取り付けられ、前記ペット用首輪１の２重テープ部５にネームタグ１５が装着されている。
【００１５】
図１〜図７において、ネームタグ１５は、２つのテープ体３，４の両方に遊嵌状に外嵌される外筒体１７と、２つのテープ体３，４の両方に摺動自在に外嵌される内筒体１８とを備える。内筒体１８は、外筒体１７に内嵌するようにテープ体３，４と外筒体１７との間に出し入れ可能に挿入されている。外筒体１７と内筒体１８との間に、内筒体１８を外筒体１７に対して内嵌した状態にロックするロック機構１９が設けられている。
【００１６】
外筒体１７は、合成樹脂等により、表側のテープ体３の表面に添う外表壁部２１と、裏側のテープ体４の裏面に沿う外裏壁部２２と、両テープ体３，４の幅方向の両端面に沿う一対の外端壁部２３とを備える角筒状に形成されている。
外筒体１７は透明又は半透明とされ、外筒体１７の外裏壁部２２の中央部に長方形の係止孔２５が内外貫通状に形成されている。外筒体１７の外表壁部２１の外面に、「ＮＡＭＥ  ＴＡＧ」の表示２６が凸状又は凹状により施されている。「ＮＡＭＥ  ＴＡＧ」の表示２６を外部から見ることにより、この部分（外筒体１７及び内筒体１８）がネームタグ１５になっていることを認識できるようになっている。外裏壁部２２の幅方向一端部に押し出し凹部２７が設けられている。
【００１７】
内筒体１８は、合成樹脂等により、表側のテープ体３の表面に添う内表壁部２９と、裏側のテープ体４の裏面に沿う内裏壁部３０と、両テープ体３，４の幅方向の両端面に沿う一対の内端壁部３１とを備える角筒状に形成されている。
内筒体１８は不透明とされ、内筒体１８の内表壁部２９の外面に長方形状の収納凹部３３が設けられ、収納凹部３３にネームシート３４を収納保持するようにしている。
収納凹部３３の両側に一対の摺動突起３６が収納凹部３３の両端に沿って筒軸方向に直線状に突出形成されている。内筒体１８の両内端壁部３１の外面に摺動突部３７が筒軸方向に直線状に突出形成されている。これにより、内筒体１８をテープ体３，４と外筒体１７との間に出し入れする際に、内筒体１８の内表壁部２９及び両内端壁部３１が摺動突起３６及び摺動突部３７を介して外筒体１７の外表壁部２１及び外端壁部２３に対してスムーズに摺動するようになっている。
【００１８】
内裏壁部３０の中央部に弾性支持片３９が形成されている。この弾性支持片３９は内筒体１８の内裏壁部３０にコの字状のスリット４０を設けることにより、内筒体１８の内裏壁部３０の前記スリット４０で区画された内側に形成されている。
前記ロック機構１９は、外筒体１７に設けた前記係止孔２５と、内筒体１８に設けた前記弾性支持片３９と備えてなり、弾性支持片３９に、内筒体１８を外筒体１７に対して内嵌した状態にロックするべく前記係止孔２５に係合する係合凸部４１が突設されている。
弾性支持片３９は内裏壁部３０よりも厚みが薄く形成されており、図５に２点鎖線で示すように、弾性支持片３９は弾性変形により内方に屈曲可能とされ、外部から係止孔２５内の係合凸部４１を内方に押圧して係合凸部４１の係止孔２５への係合を外すことが可能になっている。
【００１９】
図８に示すように、ネームシート３４は、好ましくは防水シートにより長細い長方形に形成され、その表面の一端部にペット名を表示する第１表示部４３ａが設けられ、ネームシート３４の裏面に、ペットの所有者の名前や住所や電話番号を記載する第２表示部４３ｂが設けられている。
図９に示すように、ネームシート３４は、第１表示部４３ａが表側に位置するように４つ折りに折られて収納凹部３３に収納される。従って、内筒体１８を外筒体１７に内嵌するようにテープ体３，４と外筒体１７との間に挿入した際に、ネームシート３４は収納凹部３３に収納された状態で内筒体１８と外筒体１７との間に保持され、このとき、ネームシート３４の第１表示部４３ａが外筒体１７の外表壁部２１を向いた状態になり、第１表示部４３ａに表示されたペット名が外部から外筒体１７を通して視認できるようになっている。
【００２０】
従って、ペット用首輪１を装着した犬等のペットのペット名を他人がた易く認識することができる。しかし、ペットの所有者の名前や住所や電話番号等の詳細情報を記載する第２表示部４３ｂはネームシート３４の裏面にあって、ネームシート３４は４つ折りにされているため、ペットの所有者の名前や住所や電話番号を外部から外筒体１７を通して視認することはできないようになっている。
【００２１】
而して、本実施形態では、ネームシート３４の表面の第１表示部４３ａと裏面の第２表示部４３ｂとで、ペット名やその所有者の氏名や住所等の情報が表示される表示部４３が形成され、ネームシート３４が収納凹部３３に収納されることによって、外筒体１７と内筒体１８との間に、ペット名やその所有者の氏名や住所等の情報が表示される表示部４３が設けられていることになる。
【００２２】
なお、ネームシート３４の一部に収納凹部３３に接着させるための接着剤等を設けるようにしてもよい。
前記第１実施形態によれば、犬等のペットの所有者は、ネームシート３４の表面の第１表示部４３ａにペット名を記載すると共に、ネームシート３４の裏面の第２表示部４３ｂにペットの所有者の住所、氏名、電話番号等の詳細情報を記載し、そのネームシート３４を、第１表示部４３ａが表側に位置するように４つ折りに折った後に、図１に矢印ａで示すように、ネームシート３４の第１表示部４３ａが外筒体１７の外表壁部２１を向いた状態になるように収納凹部３３に収納する。
【００２３】
その後、内筒体１８をテープ体３，４に対して矢印ｂ方向に摺動して、外筒体１７に内嵌するようにテープ体３，４と外筒体１７との間に挿入すればよい。このとき、図５に２点鎖線で示すように弾性支持片３９は弾性変形により内方に屈曲して、係合凸部４１が外筒体１７の外裏壁部２２の内面を摺動した後、弾性支持片３９の弾性変形が復元して、係合凸部４１が係止孔２５に係合する。これにより、ロック機構１９によって内筒体１８が外筒体１７に対して内嵌した状態にロックされる。
【００２４】
この状態でネームタグ１５を取り付けたペット用首輪１を犬等のペットに装着して散歩等をすれば、第１表示部４３ａに表示されたペット名が外部から外筒体１７を通して視認できるため、ペット名を他人がた易く認識することができる。しかし、ペットの所有者の名前や住所や電話番号等の詳細情報を記載する第２表示部４３ｂはネームシート３４の裏面にあって、ネームシート３４は４つ折りにされているため、ペットの所有者の名前や住所や電話番号等の詳細情報を外部から外筒体１７を通して視認することはできない。従って、所有者の名前、住所、電話番号等の詳細情報を、ペットを散歩させたりする通常の場合に知られるのを防ぐことができ、防犯上の問題が生じることはなくなる。
【００２５】
また、収納凹部３３に、前記表示部４３を有するネームシート３４が収納保持されているので、ネームシート３４を複数折りにして収納凹部３３に収納保持することにより、ネームシート３４の広い面を表示部４３とすることが可能になり、広い面にペット名やペットの所有者の名前や住所や電話番号等を大きい文字で表示することができるようになるし、ネームシート３４にペット名の他に、ペットの所有者の氏名、住所、電話番号等の多くの詳細情報を表示して、内筒体１８と外筒体１７との間にコンパクトに収納保持することができる。
【００２６】
また、ネームタグ１５の外筒体１７は、ペット用首輪１の２重テープ部５のテープ体３，４に外嵌され、内筒体１８はペット用首輪１の２重テープ部５のテープ体３，４に摺動自在に外嵌されているため、外筒体１７及び内筒体１８がテープ体３，４から不測に外れるおそれがなくなるし、内筒体１８を外筒体１７に対して内嵌した状態にロックするロック機構１９が設けられているので、犬等のペットが激しく動き回わっても、ロック機構１９によって内筒体１８が外筒体１７に対して内嵌した状態に保持することができ、所有者の名前、住所、電話番号等の情報を表示した表示体であるネームシート３４が、収納凹部３３から不測に落下して紛失するのを防止することができる。
【００２７】
そして、犬等のペットが迷子になったような場合、ペットを拾った者は、外筒体１７の外面に施されている「ＮＡＭＥ  ＴＡＧ」の表示２６を見ることにより、この部分（外筒体１７及び内筒体１８）がネームタグ１５になっていることを容易に認識することができる。
その結果、ペットを拾った者は、外部から係止孔２５内の係合凸部４１を内側に押圧することにより、弾性支持片３９を弾性変形により内側に屈曲して係合凸部４１を係止孔２５から内側に移動させて係合凸部４１の係止孔２５への係合を外して、ロック機構１９によるロックを解除しながら、押し出し凹部２７を利用して内筒体１８の内裏壁部３０を筒軸方向に押圧して、内筒体１８を外筒体１７に対して筒軸方向にずらした後に、内筒体１８をテープ体３，４と外筒体１７との間から取り出して、収納凹部３３からネームシート３４を取り出すことにより、ペットの所有者の名前、住所、電話番号等を知ることができる。
【００２８】
従って、ペットを拾った者がペットの所有者に連絡することができ、ペットをペットの所有者に返すことが可能になる。
また、上記第１実施形態では、ネームタグ１５の外筒体１７は、ペット用首輪１の２重テープ部５のテープ体３，４に外嵌され、内筒体１８はペット用首輪１の２重テープ部５のテープ体３，４に摺動自在に外嵌されているので、外筒体１７と内筒体１８とは、ペット用首輪１の２重テープ部５の２つのテープ体３，４がばらけることがないように保持するテープスティ機能を発揮することができる。
【００２９】
図１１は第２実施形態を示し、外筒体１７の外裏壁部２２の長手方向中央部に切り欠き部４６を設けて、外筒体１７を、切り欠き部４６を有するＣ字形の角筒状に形成し、外筒体１７から内筒体１８を取り外した状態で、外筒体１７をテープ体３，４から切り欠き部４６を利用して取り外し可能にしたものである。また、ネームシート３４を３つ折りに折り畳んで収納凹部３３に収納するように構成している。
【００３０】
その他の点は前記第１実施形態の場合と同様の構成であって、この実施形態の場合も、前記第１実施形態の場合と同様に、ネームシート３４の表面の一端部にペット名を表示する第１表示部４３ａが設けられ、ネームシート３４の裏面に、ペットの所有者の名前や住所や電話番号等の詳細情報を記載する第２表示部４３ｂが設けられている。また、図示省略しているが、外筒体１７と内筒体１８との間に、内筒体１８を外筒体１７に対して内嵌した状態に前記切り欠き部４６等を利用してロックするロック機構が設けられている。
【００３１】
図１２は第３実施形態を示し、ロック機構１９の係止孔２５を内筒体１８の内裏壁部３０に設け、ロック機構１９の弾性支持片３９を外筒体１７の外裏壁部２２に設けるようにしたものである。また、ネームシート３４を３つ折りに折り畳んで収納凹部３３に収納するように構成している。その他の点は前記第１実施形態の場合と同様の構成である。
図１３は第４実施形態を示し、第２実施形態の場合と同様に外筒体１７の外裏壁部２２の長手方向中央部に切り欠き部４６を設けて、外筒体１７を、切り欠き部４６を有するＣ字形の角筒状に形成すると共に、内筒体１８の内表壁部２９に切り欠き部４７を設けて、内筒体１８も、切り欠き部４７を有するＣ字形の角筒状に形成しており、切り欠き部４６，４７が外筒体１７及び内筒体１８の両方にあるので、外筒体１７及び内筒体１８をテープ体３，４に対して後付することが可能になる。しかも、切り欠き部４６，４７が互いに異なる位置にあるため、内筒体１８を外筒体１７に内嵌した際に、切り欠き部４６，４７を他方の外筒体１７又は内筒体１８で塞ぐことができる。また、ネームシート３４を３つ折りに折り畳んで収納凹部３３に収納するように構成している。その他の点は前記第１実施形態の場合と同様の構成である。
【００３２】
図１４は第５実施形態を示し、第２実施形態の場合と同様に外筒体１７の外裏壁部２２の長手方向中央部に切り欠き部４６を設けて、外筒体１７を、切り欠き部４６を有するＣ字形の角筒状に形成すると共に、内筒体１８の内表壁部２９の長手方向一端部にヒンジ４９を設けると共に、内表壁部２９の長手方向他端部を内端壁部３１から分離可能に構成し、内表壁部２９をヒンジ４９を介して外方に向けて可動できるようにしている。また、ネームシート３４を３つ折りに折り畳んで収納凹部３３に収納するように構成している。その他の点は前記第１実施形態の場合と同様の構成である。
【００３３】
図１５は第６実施形態を示し、第２実施形態の場合と同様に外筒体１７の外裏壁部２２の長手方向中央部に切り欠き部４６を設けて、外筒体１７を、切り欠き部４６を有するＣ字形の角筒状に形成すると共に、内筒体１８の内端壁部３１に切り欠き部４７を設けて、内筒体１８も、切り欠き部４７を有するＣ字形の角筒状に形成し、また、ネームシート３４を３つ折りに折り畳んで収納凹部３３に収納するように構成している。その他の点は前記第１実施形態の場合と同様の構成である。
【００３４】
なお、前記実施形態では、内筒体１８に収納凹部３３を設けているが、これに代え、外筒体１７の外表壁部２１の内面に収納凹部３３を設け、ここにネームシート３４を収納するようにしてもよい。
また、前記実施形態では、ネームシート３４を４つ折り又は３つ折りにして収納凹部３３に収納するようにしているが、これに代え、ネームシート３４の表面にペット名を表示する第１表示部４３ａを設け、ネームシート３４の裏面に、ペットの所有者の名前や住所や電話番号等の詳細情報を記載する第２表示部４３ｂを設け、ネームシート３４を折り畳まずにネームシート３４の表面が外筒体１７の外表壁部２１を向いた状態にしてそのまま収納凹部３３に収納するようにしてもよい。
【００３５】
また、前記実施形態では、外筒体１７は透明又は半透明とされ、ネームシート３４の第１表示部４３ａに表示されたペット名が外部から外筒体１７を通して視認できるようになっているが、これに代え、外筒体１７を不透明にし、ネームシート３４の第１表示部４３ａに表示されたペット名が外部から視認することができないようにしてもよい。また、外筒体１７の全体ではなく収納凹部３３に対応する部分のみを透明又は半透明とし、ネームシート３４の第１表示部４３ａに表示されたペット名が外部から外筒体１７を通して視認できるようにしてもよい。
【００３６】
また、前記実施形態では、内筒体１８に収納凹部３３を設けて、ここに、ペット名、ペットの所有者の名前、住所、電話番号を記載したネームシート３４を収納するようにしているが、これに代え、内筒体１８の外面の一部、例えば内表壁部２９の外面に、ペット名、ペットの所有者の名前、住所、電話番号等の情報を刻印、印刷又は筆記により記載して、内筒体１８の外面の一部を表示部４３とするようにしてもよい。また、この場合も、外筒体１７の少なくとも表示部４３に対応する部分を透明又は半透明として、表示部４３に表示されたペット名の情報を外部から外筒体１７を通して視認できるようにしてもよい。
【００３７】
また、前記実施形態では、ネームタグ１５がペット用首輪１の２重テープ部５に装着され、ネームタグ１５の外筒体１７は２重テープ部５の２つのテープ体３，４の両方に遊嵌状に外嵌され、内筒体１８は２重テープ部５の２つのテープ体３，４の両方に摺動自在に外嵌されているが、これに代え、ネームタグ１５を図１０に示すペット用首輪１の１重テープ部７に装着し、ネームタグ１５の外筒体１７を１つのテープ体６に遊嵌状に外嵌し、内筒体１８を１つのテープ体６に摺動自在に外嵌するようにしてもよい。
【００３８】
さらに、ネームタグ１５をカバンの肩紐のテープ体に装着し、ネームタグ１５の外筒体１７をカバンの肩紐の１つ又は２つのテープ体に遊嵌状に外嵌し、内筒体１８をカバンの肩紐の１つ又は２つのテープ体に摺動自在に外嵌するようにしてもよい。また、この場合も、外筒体１７の少なくとも表示部４３に対応する部分を透明又は半透明として、表示部４３に表示された名前等の情報が外部から外筒体１７を通して視認できるようにしてもよい。
【符号の説明】
【００３９】
１      ペット用首輪
３      テープ体
４      テープ体
１５    ネームタグ
１７    外筒体
１８    内筒体
１９    ロック機構
２５    係止孔
３３    収納凹部
３４    ネームシート
３９    弾性支持片
４０    スリット
４１    係合凸部
４３    表示部
【図３】
2014007961.tif 000003
【図４】
2014007961.tif 000004
【図５】
2014007961.tif 000005
【図６】
2014007961.tif 000006
【図７】
2014007961.tif 000007
【図８】
2014007961.tif 000008
【図１０】
2014007961.tif 000009
【図１】
2014007961.tif 000010
【図２】
2014007961.tif 000011
【図９】
2014007961.tif 000012
【図１１】
2014007961.tif 000013
【図１２】
2014007961.tif 000014
【図１３】
2014007961.tif 000015
【図１４】
2014007961.tif 000016
【図１５】
2014007961.tif 000017